(57)【要約】【課題】商品収納庫に横方向の温度偏差が生じるような条件であっても、商品温度のバラツキを小さくすることができる自動販売機を提供する。【解決手段】自動販売機１００は複数の商品収納室に仕切られ、それぞれに一対のファンが設置されている。第１商品収納庫４１Ａのシュータ４８の上方には商品Ｓを収納する一対の商品ラック４７ＡＡ、４７ＡＢが、シュータ４８Ａの下方には一対のファン５２ＡＡ、５２ＡＢが、それぞれ横方向に並んで配置されている。ファン５２ＡＡ、５２ＡＢにはそれぞれダクト５３ＡＡ、５３ＡＢが設置され、送り出す風の方向が案内されている。そして、第１商品収納庫４１Ａの筐体面３２ＡＡから流入する熱量と仕切板３１ＡＢから流入する熱量との大小関係に応じて、ファン５２ＡＡの送風量とファン５２ＡＢの送風量とに差を設けるから、横方向で商品Ｓ間の温度偏差が少なくなる。【選択図】図１
2008021128.tif 000002
【特許請求の範囲】
【請求項１】
断熱材によって囲まれ一面に開口部を具備する筐体と、
前記開口部を開閉する断熱扉と、
該筐体を横方向で２以上の商品収納庫に分割する仕切板と、
前記商品収納庫のそれぞれに配置され、商品を収納して順次下方に搬出する機能を有する商品ラックと、
前記商品収納庫のそれぞれに対して前記断熱扉に形成された商品搬出口と、
前記商品ラックから落下した商品をそれぞれ前記商品搬出口に誘導するシュータと、
該シュータの下方に配置された蒸発器およびヒータと、
前記シュータの下方に横方向に並べて配置され、前記シュータに形成された通気孔を通過して空気を吹き出す一対のファンと、
前記通気孔を通過して吹き出された空気を前記商品ラックの内部を経由して前記蒸発器およびヒータに戻すための循環ダクトと、
を有し、
前記一対のファンそれぞれの送風量に差を設けることができることを特徴とする自動販売機。
【請求項２】
前記一対のファンそれぞれの送風量の差が、前記一対のファンの一方または両方の回転数または回転時間の一方または両方を変更することによってつけられることを特徴とする請求項１記載の自動販売機。
【請求項３】
前記一対のファンそれぞれの下流に、送風方向を案内する一対のダクトが設置されていることを特徴とする請求項１または２記載の自動販売機。
【請求項４】
前記商品収納庫の横方向で冷却を阻害する熱の流入する条件の側に、冷却された空気をより多く送り、または、商品収納庫の横方向で加熱を阻害する熱の流入する条件の側に、加熱された空気をより多く送ることを特徴とする請求項１乃至３の何れかに記載の自動販売機。
【請求項５】
前記商品収納庫の横方向で冷却を促進する熱の流入する条件の側に、冷却された空気をより少なく送り、または、商品収納庫の横方向で加熱を促進する熱の流入する条件の側に、加熱された空気をより少なく送ることを特徴とする請求項１乃至３の何れかに記載の自動販売機。
【請求項６】
前記商品収納庫の横方向のそれぞれの面に流入する熱量の差によって、前記商品収納庫に配置された前記一対のファンそれぞれの送風量の差が、予め設定されていることを特徴とする請求項１乃至５の何れかに記載の自動販売機。
【請求項７】
前記商品収納庫が冷却され、前記商品収納庫の横方向の両方の面に温熱が流入する条件のとき、温熱流入量の多い方の面側に配置された前記ファンが送り出す冷却空気の量を多くし、
前記商品収納庫が冷却され、前記商品収納庫の横方向の一方の面に温熱が流入して他方の面に冷熱が流入する条件のとき、前記一方の面側に配置された前記ファンが送り出す冷却空気の量を多くし、
前記商品収納庫が冷却され、前記商品収納庫の横方向の両方の面に冷熱が流入する条件のとき、冷熱流入量の多い方の面側に配置された前記ファンが送り出す冷却空気の量を少なく、または前記一対のファンそれぞれが送り出す冷却空気の量を同じにし、
前記商品収納庫が加熱され、前記商品収納庫の横方向の両方の面に温熱が流入する条件のとき、温熱流入量の多い方の面側に配置された前記ファンが送り出す加熱空気の量を少なくし、
前記商品収納庫が加熱され、前記商品収納庫の横方向の一方の面に温熱が流入して他方の面に冷熱が流入する条件のとき、前記他方の面側に配置された前記ファンが送り出す加熱空気の量を多くし、
前記商品収納庫が加熱され、前記商品収納庫の横方向の両方の面に冷熱が流入する条件のとき、冷熱流入量の多い方の面側に配置された前記ファンが送り出す加熱空気の量を多く、または前記一対のファンそれぞれが送り出す加熱空気の量を同じにする、
ことを特徴とする請求項１乃至６の何れかに記載の自動販売機。
【発明の詳細な説明】
【技術分野】
【０００１】
本発明は、自動販売機、特に、缶、ビン、パック、ペットボトル等の容器に入れた飲料等の商品を冷却または加熱して販売に供する自動販売機に関する。
【背景技術】
【０００２】
自動販売機は、内部が仕切板によって複数の商品収納庫に断熱区画された筐体からなり、それぞれの商品収納庫の内部には、商品が収納され、内部の空気は所定の温度（低温）に加熱または冷却されている。なお、商品とは、缶、ビン、ペットボトル等の容器に入れた飲料等その物を指す場合と、飲料等が封入された容器を指す場合とがある。
【０００３】
それぞれの商品収納庫には、商品を収納し、収納された商品を順次下方に搬出する機能を有する商品ラックと、前記商品ラックから落下した商品を、商品搬出口に誘導するシュータが設置されている。そして、シュータの下方には、蒸発器およびヒータとファンとが設置され、冷却または加熱された空気が、シュータに形成された通気孔を通過して商品ラックに向けて吹き出すようになっている。さらに、商品収納庫の後面には循環ダクトが配置されているから、シュータから吹き出された空気は商品ラックを経由して、循環ダクトに吸い込まれ、再度ファンに戻ることになる。
【０００４】
商品の冷却または加熱は、商品の種類や季節の変化に応じて適宜使い分けられるものである。そして、通常商品ラックに設置された商品温度センサの測定温度に基づいて、蒸発器またはヒータ、あるいはファンの運転を調整することによっ
て、商品の温度が制御されていた。さらに、収納された商品の量が不足した際、補充された商品の温度によって、既に収納されて所定の温度に冷却または加熱されている商品が、過剰に冷却または加熱されるのを防止する発明が開示されている（例えば、特許文献１参照。）。
【０００５】
【特許文献１】特開平１０−１８８１１２号公報（第３−４頁、図１）
【発明の開示】
【発明が解決しようとする課題】
【０００６】
しかしながら、前記特許文献１に開示された発明は、商品を補充した直後において、商品を所望の温度に冷却または加熱することができるものの、商品収納庫内の横方向の温度偏差に基づく、商品温度のバラツキを解消することができないという問題があった。
すなわち、商品収納庫の一方の面が筐体の側面である場合には、外気の温度によって冷熱または温熱が商品収納庫に流入し、また、商品収納庫の一方の面が仕切板である場合には、隣接する商品収納庫の温度によって冷熱または温熱が当該商品収納庫に流入するため、商品収納庫のそれぞれの面に流入する冷熱量または温熱量の差によって、商品収納庫に横方向の温度偏差が生じ（正確には、商品収納庫には上下方向の温度偏差があるため、商品ラックの下端の位置における横方向の温度偏差）、これによって商品温度にバラツキが生じていた。
【０００７】
本発明は上記問題を解決するものであって、商品収納庫に横方向の温度偏差が生じるような条件であっても、商品温度のバラツキを小さくすることができる自動販売機を提供することを目的とする。
【課題を解決するための手段】
【０００８】
（１）本発明に係る自動販売機（請求項１）は、断熱材によって囲まれ一面に開口部を具備する筐体と、
前記開口部を開閉する断熱扉と、
該筐体を横方向で２以上の商品収納庫に分割する仕切板と、
前記商品収納庫のそれぞれに配置され、商品を収納して順次下方に搬出する機能を有する商品ラックと、
前記商品収納庫のそれぞれに対して前記断熱扉に形成された商品搬出口と、
前記商品ラックから落下した商品をそれぞれ前記商品搬出口に誘導するシュータと、
該シュータの下方に配置された蒸発器およびヒータと、
前記シュータの下方に横方向に並べて配置され、前記シュータに形成された通気孔を通過して空気を吹き出す一対のファンと、
前記通気孔を通過して吹き出された空気を前記商品ラックの内部を経由して前記蒸発器およびヒータに戻すための循環ダクトと、
を有し、
前記一対のファンそれぞれの送風量に差を設けることができることを特徴とする。
【０００９】
（２）本発明に係る自動販売機（請求項２）は、前記（１）において、前記一対のファンそれぞれの送風量の差が、前記一対のファンの一方または両方の回転数または回転時間の一方または両方を変更することによってつけられることを特徴とする。
【００１０】
（３）本発明に係る自動販売機（請求項３）は、前記（１）または（２）において、前記一対のファンそれぞれの下流に、送風方向を案内する一対のダクトが設置されていることを特徴とする。
【００１１】
（４）本発明に係る自動販売機（請求項４）は、前記（１）乃至（３）の何れかにおいて、前記商品収納庫の横方向で冷却を阻害する熱の流入する条件の側に、冷却された空気をより多く送り、または、商品収納庫の横方向で加熱を阻害する熱の流入する条件の側に、加熱された空気をより多く送ることを特徴とする。
【００１２】
（５）本発明に係る自動販売機（請求項５）は、前記（１）乃至（３）の何れかにおいて、前記商品収納庫の横方向で冷却を促進する熱の流入する条件の側に、冷却された空気をより少なく送り、または、商品収納庫の横方向で加熱を促進する熱の流入する条件の側に、加熱された空気をより少なく送ることを特徴とする。
【００１３】
（６）本発明に係る自動販売機（請求項６）は、前記（１）乃至（５）の何れかにおいて、前記商品収納庫の横方向のそれぞれの面に流入する熱量の差によって、前記商品収納庫に配置された前記一対のファンそれぞれの送風量の差が、予め設定されていることを特徴とする。
【００１４】
（７）本発明に係る自動販売機（請求項７）は、前記（１）乃至（６）の何れかにおいて、前記商品収納庫が冷却され、前記商品収納庫の横方向の両方の面に温熱が流入する条件のとき、温熱流入量の多い方の面側に配置された前記ファンが送り出す冷却空気の量を多くし、
前記商品収納庫が冷却され、前記商品収納庫の横方向の一方の面に温熱が流入して他方の面に冷熱が流入する条件のとき、前記一方の面側に配置された前記ファンが送り出す冷却空気の量を多くし、
前記商品収納庫が冷却され、前記商品収納庫の横方向の両方の面に冷熱が流入する条件のとき、冷熱流入量の多い方の面側に配置された前記ファンが送り出す冷却空気の量を少なく、または前記一対のファンそれぞれが送り出す冷却空気の量を同じにし、
前記商品収納庫が加熱され、前記商品収納庫の横方向の両方の面に温熱が流入する条件のとき、温熱流入量の多い方の面側に配置された前記ファンが送り出す加熱空気の量を少なくし、
前記商品収納庫が加熱され、前記商品収納庫の横方向の一方の面に温熱が流入して他方の面に冷熱が流入する条件のとき、前記他方の面側に配置された前記ファンが送り出す加熱空気の量を多くし、
前記商品収納庫が加熱され、前記商品収納庫の横方向の両方の面に冷熱が流入する条件のとき、冷熱流入量の多い方の面側に配置された前記ファンが送り出す加熱空気の量を多く、または前記一対のファンそれぞれが送り出す加熱空気の量を同じにする、
ことを特徴とする。
【発明の効果】
【００１５】
（ｉ）本発明の請求項１に係る自動販売機は、前記構成であるから、商品収納庫に横方向の温度偏差が生じるような条件であっても、横方向に並べて配置された一対のファンの送風量に差を設けることができるため、横方向に並べられた複数の商品ラックの一方に収納された商品の温度と他方の商品ラックに収納された商品の温度との差を小さくすることで可能になる。
【００１６】
（ｉｉ）本発明の請求項２に係る自動販売機は、送風量の差が、ファンの回転数または回転時間によって設けられるため、制御が容易になる。
（ｉｉｉ）本発明の請求項３に係る自動販売機は、それぞれのファンの下流にダクトが設置されているから、ファンによって送られた空気流れの方向が定まり、予定した商品ラックに向かう空気流れがより正確に形成される。
【００１７】
（ｉｖ）本発明の請求項４に係る自動販売機は、冷却（または加熱）を阻害する熱の流入する条件の側に、冷却（または加熱）された空気をより多く送るから、一方側の冷却（加熱）不足が防止され、横方向に並べられた複数の商品ラックに収納された商品の温度と他方の商品ラックに収納された商品の温度との差が小さくなる。
（ｖ）本発明の請求項５に係る自動販売機は、冷却（または加熱）を促進する熱の流入する条件の側に、冷却（または加熱）された空気をより少なく送るから、一方側の過剰な冷却（加熱）が防止され、横方向に並べられた複数の商品ラックに収納された商品の温度と他方の商品ラックに収納された商品の温度との差が小さくなる。
【００１８】
（ｖｉ）本発明の請求項６に係る自動販売機は、一対のファンそれぞれの送風量の差が、予め設定されているから、制御が簡素になる。
【００１９】
（ｖｉｉ）本発明の請求項７に係る自動販売機は、前記構成であるから、それぞれの条件に応じて、それぞれのファンの送風量が加減されるから、横方向に並べられた複数の商品ラックに収納された商品の温度と他方の商品ラックに収納された商品の温度との差が小さくなる。
なお、本発明において、冷却する商品収納庫に流入する冷却を促進する熱を「冷熱」と、冷却する商品収納庫に流入する冷却を阻害する熱を「温熱」と、一方、加熱する商品収納庫に流入する加熱を促進する熱を「温熱」と、加熱する商品収納庫に流入する加熱を阻害する熱を「冷熱」と、便宜上それぞれ称呼している。
【発明を実施するための最良の形態】
【００２０】
（自動販売機）
図１〜図３は本発明の実施の形態に係る自動販売機を説明するものであって、図１は正面視の断面図、図２は側面視の断面図、図３は部分斜視図である。
図１および図２において、自動販売機１００は、本体の筐体（キャビネットに同じ）２０と、筐体２０の内部で断熱材３０に包囲された商品収納庫４０と、商品Ｓを補充する時に商品収納庫４０を開閉する商品補充用扉４４と、商品収納庫４０と外気を遮断するための内扉４５と、自動販売機１００の外扉４６と、を有している。
そして、商品収納庫４０は仕切板３１ＡＢ、３１ＢＣによって、それぞれ第１商品収納庫４１Ａ、第２商品収納庫４１Ｂ、および第３商品収納庫４１Ｃに仕切られている。
なお、以下の説明の便宜上、第１商品収納庫４１Ａを形成する筐体２０の面を「筐体面３２ＡＡ」と、第３商品収納庫４１Ｃを形成する筐体２０の面を「筐体面３２ＣＣ」と、称呼する。
【００２１】
第１商品収納庫４１Ａには、商品Ｓを収納するための一対の商品ラック４７ＡＡ、４７ＡＢと、商品ラック４７ＡＡおよび商品ラック４７ＡＢの何れかから落下した商品Ｓを取出すための商品取出し口４９Ａと、商品Ｓを商品取出し口４９Ａまで誘導するシュータ４８Ａとが設置されている。そして、シュータ４８Ａの下方が庫内部品収納室５０Ａとなっている。また、庫内空気を商品ラック４７ＡＡ、４７ＡＢを経由して庫内部品収納室５０Ａに循環させるための循環ダクト４２Ａが設置されている。
【００２２】
同様に、第３商品収納庫４１Ｃにも、一対の商品ラック４７ＣＢ、４７ＣＣと、商品取出し口４９Ｃと、シュータ４８Ｃと、循環ダクト４２Ｃ（図示しない）とが設置され、庫内部品収納室５０Ｃが形成されている。
また、第２商品収納庫４１Ｂには、一列の商品ラック４７Ｂと、商品取出し口４９Ｂと、シュータ４８Ｂと、循環ダクト４２Ｂ（図示しない）とが設置され、庫内部品収納室５０Ｂが形成されている。
【００２３】
第１商品収納庫４１Ａの庫内部品収納室５０Ａ（シュータ４８Ａの下方に同じ）には、循環ダクト４２Ａ寄りに熱交換室５１Ａが設置され、これに連なって横方向に並んでファン５２ＡＡとファン５２ＡＢとが配置されている。そして、ファン５２ＡＡおよびファン５２ＡＢには、熱交換室５１Ａと反対の方向にそれぞれダクト５３ＡＡ、５３ＡＢが設置されている。
同様に、第２商品収納庫４１Ｂの庫内部品収納室５０Ｂ（シュータ４８Ｂの下方に同じ）には、循環ダクト４２Ｂ寄りに熱交換室５１Ｂ（図示しない）が設置され、これに連なって横方向に並んでファン５２ＢＡとファン５２ＢＣとが配置されている。そして、ファン５２ＢＡおよびファン５２ＢＣには、熱交換室５１Ｂと反対の方向にそれぞれダクト５３ＢＡ、５３ＢＣが設置されている。
同様に、第３商品収納庫４１Ｃの庫内部品収納室５０Ｃ（シュータ４８Ｃの下方に同じ）には、循環ダクト４２Ｃ寄りに熱交換室５１Ｃ（図示しない）が設置され、これに連なって横方向に並んでファン５２ＣＢとファン５２ＣＣとが配置されている。そして、ファン５２ＣＢおよびファン５２ＣＣには、熱交換室５１Ｃと反対の方向にそれぞれダクト５３ＣＢ、５３ＣＣが設置されている。
【００２４】
そして、商品収納庫４０の下方に機械室８０と電気収納室９０が設けられている。
機械室８０には、冷凍サイクル６０を構成する、冷媒を圧縮する圧縮機６１と、冷媒を凝縮させる凝縮器６２と、冷媒を膨張させるキャピラリチューブ６３および電磁弁６４と、凝縮器６２に向けて外気を吹き付ける庫外ファン６５と、が配置されている。
なお、商品収納庫４０内の熱交換室５１Ａ、５１Ｂ、５１Ｃには、それぞれ蒸発器（図示しない）が設置され、該蒸発器には、電磁弁６４と連結されている配管（図示しない）によってそれぞれキャピラリチューブ６３を出た低温の冷媒が供給され、さらに、熱交換室５１Ａ、５１Ｂ、５１Ｃにおいて冷熱を放出した冷媒は圧縮機６１に戻るようになっている。
電気収納室９０には、電装品が収納されている。
【００２５】
なお、実施の形態１は、自動販売機１００が３室（商品収納庫４１Ａ、４１Ｂ、４１Ｃ）を具備しているが、本発明はこれに限定するものではなく、商品収納庫は２室以上であればよい。また、商品収納庫４１Ａ、４１Ｂ、４１Ｃのそれぞれに一対のファンが設置されているが、本発明はこれに限定するものではなく、少なくとも１室において、一対のファンが設置されていればよい。
また、以下の説明において、共通する内容については、添え字「Ａ、Ｂ、Ｃ」、「ＡＡ、ＡＢ、ＢＡ、ＢＣ、ＣＢ、ＣＣ」の記載を省略する場合がある。
【００２６】
（ファン）
図３において、熱交換室５１Ａは板材を曲げ加工して形成されるものであって、内部に冷凍サイクル６０を構成する蒸発器と電気ヒータとが配置され（図示しない）、循環ダクト４２Ａに連通する循環開口部５４Ａ（図３の（ａ）において左端面に形成されている）を具備している。熱交換室５１Ａの循環ダクト４２Ａ（図示しない）と反対のファン設置面５５Ａには、一対のファン用開口部５６ＡＡ、５６ＡＢが横方向に並んで形成され、ファン用開口部５６ＡＡ、５６ＡＢにそれぞれ、ファン５２ＡＡ、５２ＡＢが設置されている。
そして、ファン用開口部５６ＡＡ、５６ＡＢを取り囲むように、ダクト５３ＡＡ、５３ＡＢがファン設置面５５Ａに設置されている。ダクト５３ＡＡ、５３ＡＢは板材を曲げ加工して形成されたものであって、端部（図中、左端部）に上方向に傾斜したスロープ５７ＡＡ、５７ＡＢが形成されている。
【００２７】
したがって、ファン５２ＡＡによって送り出された空気はダクト５３ＡＡに案内され、シュータ４８Ａに形成された通気孔（主に、庫外寄りの通気孔）を通過して、主に、商品ラック４７ＡＡに向かって吹き上げることになる。同様に、ファン５２ＡＢによって送り出された空気はダクト５３ＡＢに案内され、シュータ４８Ａに形成された通気孔（主に、第２収納庫４１Ｂ寄りの通気孔）を通過して、主に、商品ラック４７ＡＢに向かって吹き上げることになる。
このとき、ファン５２ＡＡとファン５２ＡＢとの送風量に差や送風時間にズレがあっても、送り出された空気はダクト５３ＡＡまたはダクト５３ＡＢによって案内されているから、両者が干渉することが少なくなっている。
【００２８】
なお、ファン５２ＢＡおよびファン５２ＢＣ、ファン５２ＣＢおよびファン５２ＣＣ、においても、両者の送風量に差を設けた際の、風の流れる様子は、ファン５２ＡＡおよびファン５２ＡＢにおける前記様子に準じるから、説明を省略する（添え字ＡＡをＢＡに、ＡＢをＢＣに、ＣＢをＡＡに、ＣＣをＡＢに読み替えたものに同じになる）。
【００２９】
（運転方案）
自動販売機１００は以上の構成であるから、筐体面３２ＡＡ、３２ＣＣや仕切板３１ＡＢ、３１ＢＣを通して熱の流入が条件が生じるときであっても、横方向に収納された商品Ｓの温度偏差を抑えることができるものである。
以下、運転方案について、表１〜表４を用いて説明する。なお、表中の数値は、相対的な大小関係を示すものであって、その絶対値に意味を有するものではない。
また、かかる運転方案は、商品収納庫４１の側壁からの入熱に対応するものであるから、庫内の平均的な温度の変動（たとえば、商品Ｓを補充した直後、一定時間内の商品Ｓの販売数量が変動した場合等）に対しては、公知の温度制御（ファン、冷凍サイクルまたは電気ヒータの起動／停止等）が実行されるものである。
【００３０】
なお、以下の「運転モード」の記載は、冷却する商品収納庫を「Ｃ］で、加熱する商品収納庫を「Ｈ」でそれぞれ表示したものであって、たとえば、第１商品収納庫４１Ａ、第２商品収納庫４１Ｂおよび第３商品収納庫４１Ｃの全てを冷却する運転を「運転モードＣＣＣ」と称呼し、たとえば、第１商品収納庫４１Ａを冷却し、第２商品収納庫４１Ｂおよび第３商品収納庫４１Ｃを加熱する運転を「運転モードＣＨＨ」と称呼している。
【００３１】
【表１】
2008021128.tif 000003
【表２】
2008021128.tif 000004
【表３】
2008021128.tif 000005
【表４】
2008021128.tif 000006
【００３２】
（運転モードＣＣＣ）
表１において、運転モードＣＣＣで外気が比較的高温のとき、第１商品収納庫４１Ａ（冷却室）では筐体面３２ＡＡから温熱が流入するものの、仕切板３１ＡＢからは冷熱または温熱の流入がないから、筐体面３２ＡＡ側のファン５２ＡＡの総風量を仕切板３１ＡＢ側のファン５２ＡＢの総風量より多くしている。たとえば、外気温度が３２℃のとき、前者は最大送風量に同じ１００％であるのに対し、後者は最大送風量の８０％とする。また、外気温度が１５℃のとき、前者は最大送風量の６０％であるのに対し、後者は最大送風量の４０％とする。
【００３３】
一方、外気が比較的低温のとき、第１商品収納庫４１Ａでは筐体面３２ＡＡから冷熱が流入するものの、仕切板３１ＡＢからは冷熱または温熱の流入がないから、筐体面３２ＡＡ側のファン５２ＡＡの総風量を抑えて過剰な冷却を防止し、同様に、仕切板３１ＡＢ側のファン５２ＡＢの総風量も少なくしている。たとえば、外気温度が５℃のとき、前者および後者とも、最大送風量の２０％である。
【００３４】
表１において、第２商品収納庫４１Ｂ（冷却室）では仕切板３１ＡＢ、３１ＢＣの両方からの冷熱または温熱の流入がないから、第１商品収納庫４１Ａの第２商品収納庫４１Ｂ側のファン５２ＡＢと同じ総風量で運転している。
【００３５】
（運転モードＣＨＨ）
表２において、運転モードＣＨＨで外気が比較的高温のとき、第１商品収納庫４１Ａ（冷却室）では筐体面３２ＡＡおよび仕切板３１ＡＢの両方から温熱が流入するものの、温熱流入量の多い側のファンの送風量を多くしている。たとえば、外気温度が３２℃のとき、両側より略等しい温熱が流入するから、ファン５２ＡＡおよびファン５２ＡＢとも、最大送風量に同じ１００％である。
【００３６】
また、外気温度が１５℃のとき、前者は最大送風量の５０％であるのに対し、後者は第２商品収納庫４１Ｂから温熱が流入するため、最大送風量の８０％としている。さらに、外気温度が５℃のとき、前者は最大送風量の２０％ですむのに対し、後者は最大送風量の５０％になる。
一方、第２商品収納庫４１Ｂ（加熱室）では仕切板３１ＡＢから冷熱が流入し、仕切板３１ＢＣからは温熱が流入するから、仕切板３１ＡＢ側のファン５２ＢＡの送風量をファン５２ＢＣの送風量より多くしている。
【００３７】
（運転モードＣＨＣ）
表３において、運転モードＣＨＣで外気が３２℃のとき、第１商品収納庫４１Ａ（冷却室）では筐体面３２ＡＡおよび仕切板３１ＢＣの両方から等しい量の温熱が流入するからファン５２ＢＡの送風量とファン５２ＢＣの送風量とを等しく、最大送風量に等しい１００％にしている。また、第２商品収納庫４１Ｂ（加熱室）では仕切板３１ＡＢおよび仕切板３１ＢＣの両方から等しい量の冷熱が流入するからファン５２ＢＡの送風量とファン５２ＢＣの送風量とを等しくしている。
【００３８】
また、外気が１５℃のとき、第１商品収納庫４１Ａ（冷却室）では筐体面３２ＡＡから流入する温熱に比較して仕切板３１ＢＣから流入する温熱の方が多いため、ファン５２ＡＡの送風量よりもファン５２ＡＢの送風量を多くしている。また、第２商品収納庫４１Ｂ（加熱室）では仕切板３１ＡＢ、３１ＢＣの両方から等しい量の冷熱が流入するからファン５２ＢＡの送風量とファン５２ＢＣの送風量とを等しく、最大送風量の１００％にしている。
【００３９】
（その他の運転モード）
運転モードＣＣＨ、および前記運転モードのその他条件については、前記に準じるため説明を省略する。なお、前記のように表中の数値はあくまでも相対的な大小関係を示すものであって、絶対値に意味があるものではない。
すなわち、かかる数値は、自動販売機１００の具体的な仕様や設置環境に応じ、それぞれの温度条件（入熱条件に同じ）に対して、具体的に決定されるものである。
【産業上の利用可能性】
【００４０】
本発明によれば、横方向に並べて収納された商品の温度差を少なくすることができるため、適正温度に冷却または加熱された商品が提供するから、各種自動販売機に広く利用することができる。
【図面の簡単な説明】
【００４１】
【図１】本発明の実施の形態に係る自動販売機を説明する正面視の断面図。
【図２】本発明の実施の形態に係る自動販売機を説明する側面視の断面図。
【図３】本発明の実施の形態に係る自動販売機を説明する部分斜視図。
【符号の説明】
【００４２】
２０ 筐体（キャビネット）
３０ 断熱材
３１ 仕切板
３２ 筐体面
４１ 商品収納庫
４２ 循環ダクト
４４ 商品補充用扉
４５ 内扉
４６ 外扉
４７ 商品ラック
４８ シュータ
４９ 商品取出し口
５０ 庫内部品収納室
５１ 熱交換室
５２ ファン
５３ ダクト
５４ 循環開口部
５５ ファン設置面
５６ ファン用開口部
５７ スロープ
６０ 冷凍サイクル
６１ 圧縮機
６２ 凝縮器
６３ キャピラリチューブ
６４ 電磁弁
６５ 庫外ファン
８０ 機械室
９０ 電気収納室
１００ 自動販売機
Ｓ 商品
【図１】
2008021128.tif 000007
【図２】
2008021128.tif 000008
【図３】
2008021128.tif 000009